(57)【要約】      （修正有）【課題】最寄りの出発地から到着地へのポケット時刻表を入手することが可能になるようインターネット網上で、情報端末機器のブラウザソフトを利用して公共交通機関の出発地、到着地を指定することにより折りたたみ可能なレイアウトで印刷可能なファイルを出力することにより無駄なポケット時刻表の印刷も防げることが可能なポケット時刻表作成システムを提供する。【解決手段】インターネットで接続可能なＷＥＢサイトであり、インターネット網上で、情報端末機器のブラウザソフトを利用して公共交通機関の出発地、到着地を指定することにより公共交通機関時刻表データベースを検索し、指定された出発地、到着地、平日・土曜・日曜祝日の分類を指定することにより指定された条件が含まれる時刻表の発車時刻を折りたたみ可能なレイアウトで印刷可能なファイルを出力することにより折りたたみ可能なレイアウトで印刷可能なポケット時刻表ファイルを出力する。【選択図】図１
2012027885.tif 000002
【特許請求の範囲】
【請求項１】
インターネット網上で、情報端末機器のブラウザソフトを利用して希望する公共交通機関の出発地を指定すると利用者が携帯するのに便利なように折りたたんだ状態で上下の向きが揃うレイアウトで印刷可能な時刻表をファイルを出力することを特徴としたシステム。
【請求項２】
請求項１のシステムにおいて出発地、到着地を指定して、公共交通機関時刻表データベースを検索して検索された出発地、到着地が含まれる出発地の発車時刻に絞り込んだ時刻表でファイル出力することを特徴としたシステム。
【請求項３】
請求項２のシステムにおいて指定した出発地、到着地に曜日分類（平日、土曜、日曜祝日等）を組合せて指定可能とし、時刻表をファイル出力することを特徴としたシステム。
【請求項４】
請求項２から請求項３のいずれかのシステムにおいて指定した出発地、到着地の時刻表と逆方向の時刻表を同時にファイル出力することを特徴としたシステム。
【請求項５】
請求項２から請求項４のいずれかのシステムにおいて指定した出発地、到着地に途中経路を組み合わせて指定可能とし、時刻表をファイル出力することを特徴としたシステム。
【請求項６】
請求項１から請求項５のいずれかのシステムにおいて出力された時刻表の並べ替えを行い、その後で時刻表をファイル出力することを特徴としたシステム。
【請求項７】
請求項１から請求項６のいずれかのシステムにおいて出力される時刻表ファイルに表紙を選択して出力可能とすることを特徴としたシステム。
【発明の詳細な説明】
【技術分野】
【０００１】  本発明は、インターネット網に接続した情報端末機器のブラウザソフトを利用して公共交通機関の出発地、到着地を指定することにより公共交通機関時刻表データベースを検索し、指定された出発地、到着地が含まれる時刻表を折りたたみ可能なレイアウトでファイル出力を行うソフトウェア技術に関するアプリケーションである。
【背景技術】
【０００２】  従来、公共交通機関の折りたたみ可能なポケット時刻表は印刷物の配布又はインターネット網を利用して情報端末機器での時刻表出力があるが、この場合はあらかじめ作成済みのファイル（ＰＤＦやＷＯＲＤ形式、ＪＰＥＧ形式等）をダウンロードする方式でコンピュータシステムを構築している。【０００３】  しかし、印刷物やあらかじめ作成済みのファイルのダウンロード方式では作成される種類に限界があり利用者が利用する区間（出発地・到着地間）での時刻表が手に入らないことがある。【０００４】  また、全ての利用者に対応した印刷物を準備するは種類が多すぎ、時刻表が変更されるたびに廃棄することになり費用と資源（紙）の無駄が発生する。
【発明の概要】
【発明が解決しようとする課題】
【０００５】  解決しようとする問題点は、時刻表が変更されるたびに印刷された時刻表が無駄になり廃棄される点と利用者が希望する公共交通機関の区間（出発地・到着地間）の時刻表が手に入らない点、及び利用者が出発地の時刻表を写真で写す、利用者が必要な部分のみを書き写す等のことをしているが時刻表が変更されるたびにこの作業を繰り返している点である。
【課題を解決するための手段】
【０００６】  本発明は、無駄な資源の節約及び利用者が公共交通機関の希望する区間（出発地・到着地間）の折りたたみ可能なポケット時刻表を手に入れることを可能とするため、インターネット網を利用して利用者が希望する区間（出発地・到着地）を入力してもらいその区間で公共交通機関時刻表データベースを検索し、その結果の時刻表を折りたたみ可能なレイアウトでファイル出力することを最も主要な特徴とする。
【発明の効果】
【０００７】  本発明は、インターネット網を利用して利用者が希望する公共交通機関の区間（出発地・到着地間）を入力してもらいその区間の時刻表を折りたたみ可能なレイアウトでファイル出力するため、事前に印刷する必要も事前に印刷可能なファイル形式で準備する必要がない。従って、利用者の希望に応じて印刷する或いは利用者自身が印刷することができるという利点がある。
【図面の簡単な説明】
【０００８】
【図１】この発明の一実施形態を示すシステム構成図である。
【図２】この発明の手順及び画面の一実施例を示す概念図である。
【発明を実施するための形態】
【０００９】  情報端末機器からインターネット網を利用して利用者が入力した公共交通機関の区間（出発地・到着地間）をサーバで読み取り、その区間（出発地、到着地）が含まれるの時刻表を公共交通機関時刻表データベースから検索し、折りたたみ可能なレイアウトでファイル出力することにより実現した。
【実施例】
【００１０】  図１は本発明の一実施形態を示すシステム構成図である。１は情報端末機器（パソコン、ＰＤＡ等）、２はインターネット網、３はＷＥＢサーバアプリケーション、４はＷＥＢアプリケーション、５は公共交通機関時刻表データベースである。【００１１】  １は情報端末機器であり通信装置を経由してブラウザソフトで２のインターネット網に接続が可能なものである。本発明の主体はＷＥＢアプリケーションの実装方法にあるので情報端末機器、ブラウザソフト、インターネット網の説明は省略する。【００１２】  ３はＷＥＢサーバアプリケーションでありアパッチやＩＩＳ（マイクロソフト社のＩｎｔｅｒｎｅｔ  Ｉｎｆｏｒｍａｔｉｏｎ  Ｓｅｒｖｅｒ）が代表的なアプリケーションである。【００１３】  ４はＷＥＢアプリケーションであり本発明の主体である。【００１４】  ５は公共交通機関時刻表データベースであり本発明の主体である。【００１５】  ６は４はＷＥＢアプリケーションの１実施例の画面であって、公共交通機関の出発地と到着地の検索及び設定をする画面である。なお、検索は５の公共交通機関時刻表データベースに対して要求送り、結果を受け取る仕組みとなっている。【００１６】  ７は４はＷＥＢアプリケーションの１実施例の画面であって、検索された路線を選択する画面である。【００１７】  ８は４はＷＥＢアプリケーションの１実施例の画面であって、７で選択された路線の時刻表を並べ替えて９の例のように折りたたみ可能なレイアウトでファイル出力する仕組みである。
【産業上の利用可能性】
【００１８】  公共交通機関（バスや鉄道等）のチケットを取り扱う窓口でバス路線や鉄道路線のポケット時刻表を事前に印刷しないで利用者の要望に応じて印刷するという用途に利用できる。
【符号の説明】１  情報端末機器（パソコン、ＰＤＡ等）２  インターネット網３  ＷＥＢサーバアプリケーション４  ＷＥＢアプリケーション５  公共交通機関時刻表データベース６  出発地・到着地の検索・設定画面例７  出力条件の設定画面例８  出力レイアウト設定画面例９  ファイル出力画面例
【図１】
2012027885.tif 000003
【図２−１】
2012027885.tif 000004
【図２−２】
2012027885.tif 000005